(57)【要約】【課題】さらに効率よく滞留水を排出させることができるドラム式洗濯機を提供する。【解決手段】開口３ｃを有する洗濯槽３と、開口３ｃを開閉自在とするドアと、洗濯槽３の開口３ｃに固定され且つ閉状態のドアに当接するガスケット５とを備えるドラム式洗濯機において、ガスケット５には洗濯後に洗濯水が滞留する滞留部があり、滞留部に滞留する滞留水を排出させる排出構造８が、洗濯槽の開口３ｃに面する部位の内面（１２ａ）に設けられている。【選択図】図５
2020062333.tif 000002
【特許請求の範囲】
【請求項１】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットには洗濯後に洗濯水が滞留する滞留部があり、
前記滞留部に滞留する滞留水を排出させる排出構造が、前記洗濯槽の開口に面する部位の内面に設けられている
ドラム式洗濯機
【請求項２】
前記ガスケットは、前記ドア側から見たときに環状をし、環状の周方向と直交する断面において径方向の外向きに凹入する凹部を備え、
前記滞留部は前記凹部に存在する
請求項１に記載のドラム式洗濯機。
【請求項３】
前記開口に面する部位は、横断面において径方向の内側に膨出するように湾曲し、
前記排出構造は、前記内面と２本のリブとから構成される狭路であり、
前記２本のリブは、湾曲している部位の頂点よりも前記凹部に近い位置から、少なくとも前記頂点を超えた位置まで延伸する
請求項２に記載のドラム式洗濯機。
【請求項４】
前記開口に面する部位は、横断面において径方向の内側に膨出するように湾曲し、
前記排出構造は溝からなる狭路であり、
前記溝は、湾曲している部位の頂点よりも前記凹部に近い位置から、少なくとも前記頂点を超えた位置まで延伸する
請求項２に記載のドラム式洗濯機。
【請求項５】
前記洗濯槽における前記ガスケットが固定されるべき部位に前記狭路が設けられており、
前記ガスケットは、前記凹部の底付近と前記狭路とを通じさせる貫通孔と、前記狭路に対応する部位が切り欠けられた切欠部とを有する
請求項３又は４に記載のドラム式洗濯機。
【請求項６】
前記狭路が複数本設けられており、それらの狭路に対応する貫通孔及び切欠部がそれぞれ設けられている
請求項５に記載のドラム式洗濯機。
【請求項７】
前記狭路の幅が０．５〜５ｍｍであり、溝高が０．５〜５ｍｍである
請求項３〜６の何れか１項に記載のドラム式洗濯機。
【発明の詳細な説明】
【技術分野】
【０００１】
本発明は、洗濯槽内に回転ドラムを備えるドラム式洗濯機に関する。
【背景技術】
【０００２】
従来からドラム式洗濯機では、筐体に設けられた衣類投入用の開口を開閉するドアとドラム（回転ドラム）を収納する水槽（洗濯槽）の開口部との間に、防水シール材であるゴム製のドアパッキン（ガスケット）が使用されている。
このドアパッキンは、振動の吸収等のための蛇腹構造を備えている。その蛇腹構造の環状の溝内には、洗濯の終了後に洗濯水や洗剤泡が残留する傾向にある。
たとえば、特許文献１では、環状溝の底部に水抜き穴を形成し、その水を水槽へ導くための別個の経路を設けている。その他、特許文献２では明記されていないが、その図面から水抜き穴が形成されているのがうかがえる。
【先行技術文献】
【特許文献】
【０００３】
【特許文献１】特開２００６−２１８３０６号公報
【特許文献２】特開平１０−３２８４７３号公報
【発明の概要】
【発明が解決しようとする課題】
【０００４】
一般に、ドラム式洗濯機では、ガスケットの環状溝の底が、洗濯槽の開口部の下端より低い位置にあるといった構造であるから、滞留水を効率よく抜き切るのは難しい。一方で、特許文献１のように別個の水路を設けることもできるが、煩雑である。
【０００５】
そこで、本発明は、さらに効率よく滞留水を排出させることができるドラム式洗濯機を提供することを課題とする。
【課題を解決するための手段】
【０００６】
本発明のドラム式洗濯機は、開口を有する洗濯槽と、前記開口を開閉自在とするドアと、前記洗濯槽の開口部に固定され且つ前記閉状態のドアに当接するガスケットとを備えるドラム式洗濯機において、前記ガスケットには洗濯後に洗濯水が滞留する滞留部があり、前記滞留部に滞留する滞留水を排出させる排出構造が、前記洗濯槽の開口に面する部位の内面に設けられている。
【発明の効果】
【０００７】
本発明のドラム式洗濯機は、排出構造を洗濯槽の開口に面する部位の内面に設けているので、さらに、効率よく滞留水を排出できる。
【図面の簡単な説明】
【０００８】
【図１】本実施形態に係るドラム式洗濯機を示す部分断面図である。
【図２】ガスケット、回転ドラム及び洗濯槽を示す分解図である。
【図３】（ａ）は図１の洗濯槽のカール部周辺を示す部分拡大図、（ｂ）はガスケットの凹部周辺を示す部分拡大図である。
【図４】洗濯槽の開口周辺の拡大断面部である。
【図５】狭路が設けられている様子を示す部分拡大図である。
【図６】洗濯槽に洗濯水が溜まった状態を示す概略図である。
【図７】他の実施形態に係るガスケットを示す斜視図である。
【発明を実施するための形態】
【０００９】
＜概要＞
実施形態の一態様に係るドラム式洗濯機は、開口を有する洗濯槽と、前記開口を開閉自在とするドアと、前記洗濯槽の開口部に固定され且つ前記閉状態のドアに当接するガスケットとを備えるドラム式洗濯機において、前記ガスケットには洗濯後に洗濯水が滞留する滞留部があり、前記滞留部に滞留する滞留水を排出させる排出構造が、前記洗濯槽の開口に面する部位の内面に設けられている。
【００１０】
実施形態の別態様に係るドラム式洗濯機において、前記ガスケットは、前記ドア側から見たときに環状をし、環状の周方向と直交する断面において径方向の外向きに凹入する凹部を備え、前記滞留部は前記凹部に存在する。これにより、滞留部を容易に形成される。
【００１１】
実施形態の別態様に係るドラム式洗濯機において、前記開口に面する部位は、横断面において径方向の内側に膨出するように湾曲し、前記排出構造は、前記内面と２本のリブとから構成される狭路であり、前記２本のリブは、湾曲している部位の頂点よりも前記凹部に近い位置から、少なくとも前記頂点を超えた位置まで延伸する。この場合、例えば、凹部の滞留水を毛細管現象によって吸い上げるようにして、洗濯槽まで導くことができる。また、例えば、吸い上げにより高い位置まで引き上げることができるので、仮に狭路中に高低差があり、超えるべき高位の部位があっても、その部位を乗り越えて洗濯槽に滞留水を導くことができる。
【００１２】
実施形態の別態様に係るドラム式洗濯機において、前記開口に面する部位は、横断面において径方向の内側に膨出するように湾曲し、前記排出構造は溝からなる狭路であり、前記溝は、湾曲している部位の頂点よりも前記凹部に近い位置から、少なくとも前記頂点を超えた位置まで延伸する。この場合、例えば、凹部の滞留水を毛細管現象によって吸い上げるようにして、洗濯槽まで導くことができる。また、例えば、吸い上げにより高い位置まで引き上げることができるので、仮に狭路中に高低差があり、超えるべき高位の部位があっても、その部位を乗り越えて洗濯槽に滞留水を導くことができる。
【００１３】
実施形態の別態様に係るドラム式洗濯機において、前記洗濯槽における前記ガスケットが固定されるべき部位に前記狭路が設けられており、前記ガスケットは、前記凹部の底付近と前記狭路とを通じさせる貫通孔と、前記狭路に対応する部位が切り欠けられた切欠部とを有する。この場合、貫通孔から導かれた滞留水の流路を妨げる部位が予め切り欠かれているから、例えば、流路にゴミが溜まりにくくなり、確実に滞留水を排出することができる。
【００１４】
実施形態の別態様に係るドラム式洗濯機において、前記狭路が複数本設けられており、それらの狭路に対応する貫通孔及び切欠部がそれぞれ設けられている。この場合、ある１つの狭路が糸くずで詰まっても、他の狭路から排出を行うことができる。
【００１５】
実施形態の別態様に係るドラム式洗濯機において、前記狭路の幅が０．５〜５ｍｍであり、溝高が０．５〜５ｍｍである。この場合は、毛細管現象を利用して効率的に滞留水を吸い上げ、洗濯槽へ排出することができる。また、衣類が狭路に絡まりにくい。
【００１６】
＜第１実施形態＞
１．ドラム式洗濯機の概略説明
図１を用いて、ドラム式洗濯機（以下、洗濯機という。）の概略を説明する。洗濯機１は、横型ドラム洗濯機と言われるものである。洗濯機１は、筐体２と、筐体２内で弾力的に防振支持され且つ開口３ｃを有する洗濯槽３と、洗濯槽３に収納され且つ衣類等の洗濯物が投入される回転ドラム４と、洗濯槽３の開口部に固定されるガスケット５と、洗濯槽３の開口３ｃを開閉するドア６とを備えている。
ガスケット５は、前側（ドア６が存在する側）から見ると環状をし、横断面において径方向の外向きに凹入する凹部（７）を備えている。これにより、洗濯後の洗濯水が凹部７の下位に滞留する。なお、この滞留した洗濯水を滞留水とする。
洗濯槽３は、滞留水を排出させる排出構造８を、洗濯槽３の開口に面する部位の内面に設けられている。
【００１７】
２．各構成の説明
（１）筐体
図１に示すように、筐体２は箱状をし、前面パネル２ｃの略中央部には洗濯物を回転ドラム４内へと投入するための前面開口２ａが形成されている。前面開口２ａの上方には洗濯工程を制御する制御パネル２ｂが設けられている。
制御パネル２ｂには、例えば、洗濯のコース、洗濯条件、洗濯時間等の設定部と、設定条件及び洗濯過程の状況を表示する表示部とを備えている。設定の例としては、洗濯のコースとしてソフト／普通／しっかり、洗濯条件として、節水／普通、さらにはマニュアル／自動、等がある。
【００１８】
（２）洗濯槽
（２−１）全体
図２に示すように、洗濯槽３は前部３ａと後部３ｂとに分けられている。それらを連結し、全体として有底円筒状となる。洗濯槽３は、前部３ａの周壁１１ａの前端から内向きに延設された肩部１１ｂを有している。肩部１１ｂの前端は、図３の（ａ）に示すように、径方向の外向きに湾曲されたカール部１２となる。カール部１２は前側から見ると環状（円環状）をし、カール部１２に囲まれた部位の内側が開口３ｃである。カール部１２は、本発明の「開口に面する部位」の一例に相当する。カール部１２は、径方向の内側に膨出するように湾曲している。
洗濯槽３は、開口３ｃ（開口縁を含む平面）が垂直よりいくらか上方を向くように、例えば、洗濯槽３の中心軸が前方に向けて上向きに傾斜するように、配置されている。また図示しない回転ドラム４を回転させるモータは洗濯槽３の底面の中心付近に設けられている。
カール部１２は、後述するガスケット５の挿入溝１４ａに挿入され、ガスケット５を保持する。カール部１２は、本発明の「ガスケットが固定されるべき部位」の一例に相当し、また、本発明の「洗濯槽の開口部」の一例に相当する。
【００１９】
（２−２）排出構造
図３の（ａ）には洗濯槽３の部分拡大図を示している。図に示す洗濯槽３のカール部１２の内面１２ａに排出構造８が設けられている。すなわち、洗濯槽３の開口部の内面に相当する部位（１２ａ）に排出構造８が設けられる。
排出構造８は、内面１２ａに立設される１本又は複数本（ここでは２本）のリブ１３，１３から構成される。内面１２ａと一対のリブ１３，１３とで構成される溝が滞留水を流すための流路（狭路）９になる。
図５に示すように、リブ１３は洗濯槽３の中心軸と平行に延伸する。複数本（ここでは６本）のリブ１３は平行に設けられている。リブ１３はカール部１２の先端付近には設けられていない。リブ１３は、カール部１２におけるガスケット５の挿入溝１４ａに挿入されていない部分であってカール部１２の先端に近い位置を立設の始点Ｑとし、頂点Ｐを超えた位置まで連続するように設けられている。ここでのリブ１３は、頂点Ｐを超えて、いくらか降りたところを終点Ｒとしている。リブ１３の終点Ｒｈａ、リブ１３に沿って引き上げられた滞留水が、自力でカール部１２の内面１２ａに沿って流下できる位置よりも後側であればよい。
【００２０】
カール部１２の先端のリブ１３が設けられていない部位（単に「先端部」ともいう）１２ｂは、ガスケット５の挿入溝１４ａに挿入される部位である。
ここでは、複数本（ここでは３本である）の狭路９が設けられている（図３の（ａ）参照）。３本の狭路９は、前側からガスケット５を見た際に、洗濯槽３の開口３ｃの最も下方に相当する部位と、その位置を挟んだ両側にそれぞれ設けられている。ここでの両側の狭路９は、中央の狭路９に対して同間隔となる位置にある。なお、ここでの狭路９を構成するリブ１３はすべて同じ長さ、高さ及び形状である。つまり、すべてのリブ１３の構造は同じである。
本実施系形態では狭路９を含むリブ１３、１３の付近の洗濯槽３の断面は、凹み部分が狭路である凹形状である。
【００２１】
（３）回転ドラム
図２に戻って、回転ドラム４は、有底筒状で、洗濯槽３の底部に設けられた図示しないモータに連結され、洗濯槽３内に回転可能に支持されている。周壁４ａの前端からは、径方向の内向きで、斜め前方に延びるように肩部４ｂが設けられている。
肩部４ｂの先端部は、図４に示すように、径方向の外向きに湾曲されたカール部４ｄとなる。カール部４ｄは前側から見ると環状（円環状）をしている。カール部４ｄで囲まれた部位の内側は開口４ｃである。開口４ｃは洗濯槽３の開口３ｃより小径である（図６参照）。
周壁４ａには、通水のための複数の貫通孔４ｅが形成されている。その貫通孔４ｅを通して洗濯水が洗濯槽３内と回転ドラム４内を自由に往来できる。回転ドラム４の回転中心軸は、洗濯槽３の中心軸と一致しており、開口４ｃ側が高くなるように傾斜している。
なお、乾燥ドラムを兼用する場合は、貫通孔４ｅは通風のために利用される。
【００２２】
（４）ガスケット
ガスケット５は、弾性を有した材料、例えばゴム材料からなる。図３の（ｂ）に示すように、ガスケット５は筒状であり、ここでは円筒状をしている。ガスケット５は、図４に示すように、洗濯槽３のカール部１２を固定する固定部１４と、固定部１４の前方に設けられ且つ洗濯時及び脱水時の振動を吸収するための凹部７と、凹部７の前方に設けられ且つドア６に当接するための当接部１５と、筐体２の前面パネル２ｃの前面開口２ａの周縁部を固定する固定部１６とからなる。
なお、ガスケット５は、図４に示すように、洗濯槽３に固定された状態で金属ワイヤ１８によって締め付けられ、洗濯槽３から外れないように構成されている。
【００２３】
（４−１）凹部
凹部７は、例えば、蛇腹構造に似た作用を呈するものであり、ガスケット５の中心軸方向の伸縮を助ける。凹部７は周方向と直交する横断面において径方向の外向きに凹入する。これによりガスケット５は、例えば、筐体２に対し防水機能及び防振機能を有する。
ガスケット５の周壁はＺ字状に折り返されている。凹部７は、この折り返された部分を利用している。Ｚ字状の折り返された部分は、具体的には、図３の（ｂ）に示すように、当接部１５及び固定部１６の付け根付近を始点として、洗濯槽３側に延びている上延伸部７ａと、径方向の外向きで斜め前方に延びている傾斜延伸部７ｂと、傾斜延伸部７ｂの外端部から洗濯槽３側に再び延びている下延伸部７ｃとからなる。
【００２４】
Ｚ字の下延伸部７ｃの終端からは、さらに径方向の内向きに環状に内鍔状部１０ａが設けられている。凹部７は、傾斜延伸部７ｂ、下延伸部７ｃ及び内鍔状部１０ａで囲まれる部位であり、洗濯水の残水が滞留しやすい。
ガスケット５は、図５に示すように、凹部７における最も下位の部位に凹み７ｄを有している。凹み７ｄは排出構造８に繋がる部位に設けられている。換言すると、凹み７ｄは後述の貫通孔１７ａに対応して設けられ、貫通孔１７ａの下部を構成する。
内鍔状部１０ａは、図４に示すように、回転ドラム４の開口４ｃよりも径方向内側へと延伸している。これにより、ガスケット５と回転ドラム４との間に洗濯物が入り込むのを防止できる。
内鍔状部１０ａの厚みは、下延伸部７ｃ、傾斜延伸部７ｂ及び上延伸部７ａの厚みより厚くなっている。これにより、内鍔状部１０ａの形状が維持される。
【００２５】
（４−２）固定部（洗濯槽側）
固定部１４は、カール部１２の先端部１２ｂが挿入される挿入溝１４ａを有する。挿入溝１４ａの間隔は先端部１２ｂの厚みより小さく構成されている。つまり、固定部１４は、例えばカール部１２を圧入できるように、カール部１２の形状をいくらか縮小した形状の挿入溝１４ａを有する。このように、固定部１４は、外向きに湾曲したカール部１２を挟持するので、例えば、ガスケット５が外れにくい。また、ガスケット５の固定部１４を含め、カール部１２の先端部の剛性が向上する。
挿入溝１４ａを構成する内周面の少なくとも一方には、図３の（ｂ）に示すように、複数本の突条１４ｃが設けられている。突条１４ｃは、挿入溝１４ａの内部に突出すると共に周方向の全周に亘って延伸している。突条１４ｃは、周方向と直交する断面において三角形状に突出し、内面に沿って中心軸方向に複数個設けられている。これにより、例えば、カール部１２が容易に抜けないようにされている。
【００２６】
固定部１４の後端には、径方向の内向きに張り出す外鍔状部１０ｂが設けられている。なお、外鍔状部１０ｂは、挿入溝１４ａを構成する中心軸側の部位に設けられている。外鍔状部１０ｂは、図４に示すように、回転ドラム４のカール部４ｄの外周端の近傍にまで延伸している。これにより、回転ドラム４と洗濯槽３との間に洗濯物が入り込むのを防止できる。外鍔状部１０ｂの厚みは、内鍔状部１０ａに厚みよりも薄い。これにより、回転ドラム４のカール部４ｄと接触しても容易に変形できる。
なお、固定部１４は全周に亘って連続する溝１４ｄ（図３の（ｂ）参照）を外周面に有している。溝１４ｄは、ガスケット７を洗濯槽３に強固に固定するための金属ワイヤ１８用である。
【００２７】
（４−３）固定部（前面パネル側）
固定部１６は、図３の（ｂ）に示すように、前面パネル２ｃの前面開口２ａの周縁部が挿入される挿入溝１６ａを有する。挿入溝１６ａの間隔は周縁部の厚みより小さく構成されている。つまり、固定部１６は、例えば周縁部を圧入できるように、周縁部の形状をいくらか縮小した形状の挿入溝１６ａを有する。なお、挿入溝１６ａの内周面には、挿入溝１６ａの内部に突出すると共に周方向の全周に亘って延伸する突条１６ｂを有している。突条１６ｂは複数個あり、内面に沿って中心軸方向に設けられている。これにより、周縁部が固定部１６から抜けにくくできる。
【００２８】
（４−４）当接部
当接部１５は、ドア６の光透過性凸部６ａ（図１参照）に当接して、シール作用を呈するものであり、径方向の内向きに突出している当接片１５ａからなる。なお、固定部１６は、上延伸部７ａの前端から径方向の外向きに突出して形成されており、ドア６の光透過性凸部６ａ（図１参照）に当接する当接部として機能してもよい。
【００２９】
（４−５）貫通孔、切欠部
内鍔状部１０ａの根元付近で、狭路９に対応する部位には、図３の（ｂ）に示すように、貫通孔１７ａが形成されている。
固定部１４のうち狭路９の上方部及び狭路９に対応する外鍔状部１０ｂは切り欠けられ開放されている。切り欠けられた部位は切欠部１７ｂである。なお、切欠部１７ｂの周方向の寸法は、一対のリブ１３の外寸法よりも大きい。
ここでは、狭路９は３本設けられており、それらの狭路９に対応するように貫通孔１７ａ及び切欠部１７ｂがそれぞれ設けられている。
【００３０】
（５）ドア
図１に戻って、ドア６は筐体２に開閉可能に設けられている。ここでは、ドア６は筐体２の前面パネル２ｃに設けられた上下方向に延伸するヒンジに開閉自在に支持されている。
ドア６はガラスあるいは透過性樹脂で形成された外側の透過性窓６ｂと、内側の光透過性凸部６ａとからなる二重構造である。その透光性の窓から回転ドラム４内の洗濯物の様子を見ることができる。
【００３１】
３．使用
（１）洗濯水の水位
次に図６を用いて洗濯水の水位について説明する。図に示すように洗濯水の水位は洗濯槽３の開口３ｃの下端付近にある。
【００３２】
（２）排出構造の作用
図５に示すように、リブ１３は、カール部１２の湾曲の頂点Ｐに対して凹部７側の始点Ｑから頂点Ｐを超えるように延設されると、凹部７側から頂点Ｐを乗り越えて洗濯槽３側に滞留水を排水することができる。
狭路９は細く形成されているので、凹部７の底部から滞留水を毛細管現象によって吸い上げるようにして、頂点Ｐまで滞留水を引き上げることができる。
貫通孔１７ａから導かれた滞留水の流路（狭路９）の上方部位が予め切り欠かれている（切欠部１７ｂ）から、例えば、ゴミなどが詰まりにくく、確実に滞留水を排出することができる。
さらに狭路９が、複数本設けられているから、１つの狭路９が糸くず等で詰まっても、他の狭路９から排出することができる。そして詰まったとしても、切欠部１７ｂにより狭路９の上方が解放されているので、ゴミを除去するのが容易である。
【００３３】
狭路９の幅は、広すぎると毛細管現象が有効に作用しない。一方で、溝高は、高すぎると衣類が絡まる恐れがある。狭路９の幅が０．５〜５ｍｍであり、溝高が０．５〜５ｍｍ（好ましくは、０．５〜３ｍｍ）である場合は、毛細管現象を利用して、例えば、効率的に滞留水を吸い上げることができる。さらに例えば、洗濯槽３へ排出することができる。さらに例えば、衣類が絡まりにくい。
このように、排出構造８により、ガスケット５の凹部７に滞留する滞留水を吸い上げて洗濯槽３へ流すため、例えば、凹部に滞留水が滞留するのを防止することができる。これにより、貯留水の中で雑菌が繁殖するのを抑制することができる。例えば、衣服への雑菌付着や、洗濯槽からの異臭の発生を抑制することができる。
【００３４】
（３）その他
洗濯槽３を金属材料で構成する場合、排出構造８が微細な形状であっても、加工精度を高めることができる。また、毛細管現象を利用するような狭路９を形成する際の加工精度を高めることができる。
洗濯槽３を樹脂材料で構成する場合、射出成形等で排出構造を形成できるため、安価に実施できる。また、排出構造が微細な形状であっても、加工精度を高めることができる。また、毛細管現象を利用するような狭路を形成する際の加工精度を高めることができる。
【００３５】
洗濯機１は、凹部７内に滞留している滞留水を排出構造８により、洗濯槽３に排出できる。これにより、例えば、滞留水内で雑菌が繁殖する可能性を抑えられる。また例えば、衣服への雑菌の付着を抑制することができる。さらに例えば、洗濯機１からの異臭の発生を抑制することができる。
【００３６】
＜第２実施形態＞
第２実施形態は、前述した洗濯機１とほぼ同様の構成であるので、異なる部分のみ説明し、同じ部分の説明は省略する。
図７にはガスケットの他の例を示している。図に示すガスケット２２は、下方の凹部２１が浅くされている。これにより、凹部２１とカール部１２の頂点Ｐとの高低差を小さくすることができ、滞留水がカール部１２を乗り超えやすい。
【００３７】
＜変形例＞
変形例を説明する。なお、本変形例と上述した実施形態、変形例同士は、それぞれを適宜に組み合わせて用いることができる。
【００３８】
１．洗濯槽
（１）実施形態では、ガスケットの洗濯槽への固定と滞留水の排出構造とをカール部に設けたが、それぞれを別個の部材に設けても良い。例えば、洗濯槽の周壁で、カール部から下方に延伸する延伸部を設け、当該延伸部で固定するようにしてもよい。この場合、例えばカール部の先端からリブを設けることも可能となる。
（２）洗濯槽の中心軸が水平になるように筐体２内に配置してもよい。洗濯槽の開口が上方を向くように傾ける方が凹部の底部とカール部の頂点との高低差を小さくすることができる。
（３）カール部における最下端付近を長くし、滞留水へのアクセスを容易にしてもよい。
【００３９】
２．ガスケット
（１）１本の狭路に対し１つの貫通孔及び切欠部が形成されているが、複数の狭路に対して、１つの貫通孔及び切欠部で対応させてもよいし、１つの貫通孔及び複数の切欠部で対応させてもよいし、複数の貫通孔及び１つの切欠部で対応させてもよい。
（２）切欠部を形成しないで、狭路の上方を塞いでもよいし、狭路の上方を開放してもよい。開放する場合は、挿入溝を構成する中心軸側の部位の長さを短くし、さらに、外鍔状部を設けないことで実施できる。
（３）内鍔状部の貫通孔は滞留水の通過を許容すればよく、例えば、情報が開放する切欠部であってもよい。
（４）内鍔状部は回転ドラムから洗濯物が出てきたり、洗濯槽側から洗濯水がドア側に流れるのを防止したりするストッパの役割を果たす。この観点から、内鍔状部は径方向の内向きに延伸しているが、斜め後方、つまり、回転ドラムのカール部に向かって延伸してもよいし、径方向に延伸した後に後方へと延伸する「Ｌ」字状であってもよい。
（５）内鍔状部は径方向の内向きに延伸しているが、例えば、径方向の内向きに延伸した後に後方へと延伸する「Ｌ」に形成してもよい。この場合、内周面は回転ドラムの開口よりも径方向に内側に位置してもよい。
【００４０】
３．排出構造
（１）リブの代わりに、カール部を切り欠いて溝を形成してもよい。リブが突出していないので、例えば、ガスケットの貫通孔と切欠部との位置合わせが容易である。なお、リブの代わりに溝を利用すると、圧入の際に、溝が変形するおそれがある。
（２）狭路の断面形状は、Ｖ、Ｕ字状など種々の形状を採用することができる。狭路は中心軸に対して斜めに設けてもよいし、湾曲して設けてもよいし、遠回りして設けてもよい。但し、狭路は流れの摩擦を少なくするため最短距離であるのが好ましい。
（３）狭路の本数は、１、２本あるいは４本以上でよく、１〜６本が好ましい。また、狭路は途中で枝分かれしたり、合流したりしてもよい。
【００４１】
（４）３本のリブで２本の狭路を形成してもよい。例えばｎ本のリブで、ｎ−１本の狭路を形成してもよい。２本のリブで形成される1本の狭路とを複合的に用いてもよい。さらに、リブにより形成される狭路と、溝により形成される狭路とを複合的に用いてもよい。
（５）リブの形状は、板状、突条でもよいし、狭路と反対側（他方のリブと対向する面と反対側）を緩やかに傾斜させてもよい。その場合、例えば、衣類が絡みにくくなる。
（６）リブは、洗濯槽のカール部と一体に形成してもよいし、カール部に後付けしてもよい。後付けの場合は金属部材を溶接したり、樹脂を固化して形成したりしてもよい。
【符号の説明】
【００４２】
１  洗濯機（ドラム式洗濯機）
３  洗濯槽
３ｃ  開口
４  回転ドラム
５  ガスケット
６  ドア
７  凹部
８  排出構造
９  狭路
１２  カール部
１２ａ  内面
１３  リブ
１７ａ  貫通孔
１７ｂ切欠部
【図１】
2020062333.tif 000003
【図２】
2020062333.tif 000004
【図３】
2020062333.tif 000005
【図４】
2020062333.tif 000006
【図５】
2020062333.tif 000007
【図６】
2020062333.tif 000008
【図７】
2020062333.tif 000009
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記洗濯槽は、前記径方向の内向きに延設された肩部を前記開口部に有し、
前記滞留部に滞留する滞留水を排出させる排出構造が前記肩部の内面に設けられ、
前記排出構造は、前記内面と該内面に立設された一対のリブとで構成される狭路であり、
前記ガスケットは、前記凹部と前記狭路とを通じさせる貫通孔又は上方が開放する切欠部を有する
ドラム式洗濯機。
【請求項２】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記洗濯槽は、前記径方向の内向きに延設された肩部を前記開口部に有し、
前記滞留部に滞留する滞留水を排出させる排出構造が前記肩部の内面に設けられ、
前記排出構造は、前記内面を切り欠いた溝からなる狭路であり、
前記ガスケットは、前記凹部と前記狭路とを通じさせる貫通孔又は上方が開放する切欠部を有する
ドラム式洗濯機。
【請求項３】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記滞留部に滞留する滞留水を排出させる排出構造が、前記洗濯槽の開口に面する部位の内面に設けられ、
前記洗濯槽の前記開口に面する部位は、横断面において径方向の内側に膨出するように湾曲し、前記排出構造は、前記内面と２本のリブとから構成される狭路であり、
前記２本のリブは、湾曲している部位の頂点よりも前記凹部に近い位置から、少なくとも前記頂点を超えた位置まで延伸している
ドラム式洗濯機。
【請求項４】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記滞留部に滞留する滞留水を排出させる排出構造が、前記洗濯槽の開口に面する部位の内面に設けられ、
前記洗濯槽における前記開口に面する部位は、横断面において径方向の内側に膨出するように湾曲し、
前記排出構造は溝からなる狭路であり、
前記溝は、湾曲している部位の頂点よりも前記凹部に近い位置から、少なくとも前記頂点を超えた位置まで延伸している
ドラム式洗濯機。
【請求項５】
前記ガスケットは、前記狭路に対応する部位が切り欠けられた切欠部を有する
請求項１〜４の何れか１項に記載のドラム式洗濯機。
【請求項６】
前記狭路が複数本設けられており、それらの狭路に対応する前記貫通孔及び前記切欠部がそれぞれ設けられている
請求項１〜５の何れか１項に記載のドラム式洗濯機。
【請求項７】
前記狭路の幅が０．５〜５ｍｍであり、溝高が０．５〜５ｍｍである
請求項１〜６の何れか１項に記載のドラム式洗濯機。
【手続補正２】
【補正対象書類名】明細書
【補正対象項目名】００３９
【補正方法】変更
【補正の内容】
【００３９】
２．ガスケット
（１）１本の狭路に対し１つの貫通孔及び切欠部が形成されているが、複数の狭路に対して、１つの貫通孔及び切欠部で対応させてもよいし、１つの貫通孔及び複数の切欠部で対応させてもよいし、複数の貫通孔及び１つの切欠部で対応させてもよい。
（２）切欠部を形成しないで、狭路の上方を塞いでもよいし、狭路の上方を開放してもよい。開放する場合は、挿入溝を構成する中心軸側の部位の長さを短くし、さらに、外鍔状部を設けないことで実施できる。
（３）内鍔状部の貫通孔は滞留水の通過を許容すればよく、例えば、上方が開放する切欠部であってもよい。
（４）内鍔状部は回転ドラムから洗濯物が出てきたり、洗濯槽側から洗濯水がドア側に流れるのを防止したりするストッパの役割を果たす。この観点から、内鍔状部は径方向の内向きに延伸しているが、斜め後方、つまり、回転ドラムのカール部に向かって延伸してもよいし、径方向に延伸した後に後方へと延伸する「Ｌ」字状であってもよい。
（５）内鍔状部は径方向の内向きに延伸しているが、例えば、径方向の内向きに延伸した後に後方へと延伸する「Ｌ」に形成してもよい。この場合、内周面は回転ドラムの開口よりも径方向に内側に位置してもよい。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記洗濯槽は、前記径方向の内向きに延設された肩部を前記開口部に有し、
前記滞留部に滞留する滞留水を排出させる排出構造が前記肩部の内面に設けられ、
前記排出構造は、前記内面と該内面に立設された一対のリブとで構成される狭路であり、
前記ガスケットは、前記凹部と前記狭路とを通じさせる貫通孔又は上方が開放する切欠部を有する
ドラム式洗濯機。
【請求項２】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記洗濯槽は、前記径方向の内向きに延設された肩部を前記開口部に有し、
前記滞留部に滞留する滞留水を排出させる排出構造が前記肩部の内面に設けられ、
前記排出構造は、前記内面を切り欠いた溝からなる狭路であり、
前記ガスケットは、前記凹部と前記狭路とを通じさせる貫通孔又は上方が開放する切欠部を有する
ドラム式洗濯機。
【請求項３】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記滞留部に滞留する滞留水を排出させる排出構造が、前記洗濯槽の開口に面する部位の内面に設けられ、
前記洗濯槽の前記開口に面する部位は、横断面において径方向の内側に膨出するように湾曲し、前記排出構造は、前記内面と２本のリブとから構成される狭路であり、
前記２本のリブは、湾曲している部位の頂点よりも前記凹部に近い位置から、少なくとも前記頂点を超えた位置まで延伸している
ドラム式洗濯機。
【請求項４】
開口を有する洗濯槽と、前記開口を開閉自在とするドアと、前記洗濯槽の開口部に固定され且つ前記閉状態のドアに当接するガスケットとを備えるドラム式洗濯機において、
前記ガスケットは、前記ドア側から見たときに環状をし、環状の周方向と直交する断面において径方向の外向きに凹入する凹部を備え、前記凹部には洗濯後に洗濯水が滞留する滞留部があり、
前記滞留部に滞留する滞留水を排出させる排出構造が、前記洗濯槽の開口に面する部位の内面に設けられ、
前記洗濯槽における前記開口に面する部位は、横断面において径方向の内側に膨出するように湾曲し、
前記排出構造は溝からなる狭路であり、
前記溝は、湾曲している部位の頂点よりも前記凹部に近い位置から、少なくとも前記頂点を超えた位置まで延伸している
ドラム式洗濯機。
【請求項５】
前記ガスケットは、前記狭路に対応する部位が切り欠けられた切欠部を有する
請求項１〜４の何れか１項に記載のドラム式洗濯機。
【請求項６】
前記狭路の幅が０．５〜５ｍｍであり、溝高が０．５〜５ｍｍである
請求項１〜５の何れか１項に記載のドラム式洗濯機。